(57)【要約】【課題】視聴者に追加的な操作を強いることなく、視聴者が容易に所望の番組を探し出せる番組切替え制御装置を提供する。【解決手段】番組切替え制御装置１０１は、選択チャンネルを示す情報を含む操作情報を取得する操作情報取得部２０１と、選択チャンネルにおいて放送されている放送番組の放送データを取得する放送データ取得部２１４と、コンテンツ提供元から、コンテンツを示す推薦データを取得する推薦データ取得部２１７と、選択チャンネルが変更された頻度である変更頻度を取得し、変更頻度が所定の頻度よりも高いか否かを判定する変更頻度判定部２１３と、変更頻度が高いと判定された場合、推薦データを出力し、変更頻度が高くないと判定された場合、放送データを出力するデータ出力部２０８とを備える。【選択図】図２
2011259109.tif 000002
【特許請求の範囲】
【請求項１】
視聴者によって選択された選択チャンネルにおいて放送されている放送番組の放送データを取得して、取得した前記放送データを出力する番組切替え制御装置であって、
前記選択チャンネルを示す情報を含む操作情報を取得する操作情報取得部と、
前記操作情報取得部で取得された前記操作情報によって示される前記選択チャンネルにおいて放送されている前記放送番組の前記放送データを取得する放送データ取得部と、
要求に応じてコンテンツを提供するコンテンツ提供元から、前記コンテンツの情報を示す推薦データを取得する推薦データ取得部と、
前記操作情報を用いて、前記選択チャンネルが変更された頻度である変更頻度が所定の頻度よりも高いか否かを判定する変更頻度判定部と、
前記変更頻度が高いと判定された場合、前記推薦データ取得部で取得された前記推薦データを出力し、前記変更頻度が高くないと判定された場合、前記放送データ取得部で取得された前記放送データを出力するデータ出力部とを備える
番組切替え制御装置。
【請求項２】
前記変更頻度は、単位時間あたりに前記選択チャンネルが変更された頻度である
請求項１に記載の番組切替え制御装置。
【請求項３】
前記変更頻度は、前記選択チャンネルが変更された回数であり、
前記変更頻度判定部は、前記回数が所定の回数よりも多いか否かを判定することにより、前記変更頻度が前記所定の頻度よりも高いか否かを判定する
請求項１または請求項２に記載の番組切替え制御装置。
【請求項４】
前記変更頻度は、所定の時間間隔よりも短い時間間隔で前記選択チャンネルが変更された回数である
請求項３に記載の番組切替え制御装置。
【請求項５】
前記変更頻度は、前記選択チャンネルが変更された時間間隔であり、
前記変更頻度判定部は、前記時間間隔が所定の時間間隔よりも短いか否かを判定することにより、前記変更頻度が前記所定の頻度よりも高いか否かを判定する
請求項１または請求項２に記載の番組切替え制御装置。
【請求項６】
前記変更頻度は、前記選択チャンネルが特定のチャンネルから別のチャンネルへ変更された頻度であり、
前記データ出力部は、前記変更頻度が高いと判定され場合、かつ、前記操作情報取得部で取得された前記操作情報によって示される前記選択チャンネルが前記特定のチャンネルである場合、前記推薦データ取得部によって取得された前記推薦データを出力する
請求項１〜３のいずれか１項に記載の番組切替え制御装置。
【請求項７】
前記変更頻度は、前記選択チャンネルが特定のチャンネルに変更されてから所定の時間間隔よりも短い時間間隔で別のチャンネルへ変更された回数であり、
前記変更頻度判定部は、前記回数が所定の回数よりも多いか否かを判定することにより、前記変更頻度が前記所定の頻度よりも高いか否かを判定し、
前記データ出力部は、前記変更頻度が高いと判定され場合、かつ、前記操作情報取得部で取得された前記操作情報によって示される前記選択チャンネルが前記特定のチャンネルである場合、前記推薦データ取得部によって取得された前記推薦データを出力する
請求項１または請求項２に記載の番組切替え制御装置。
【請求項８】
前記変更頻度は、前記選択チャンネルが特定のチャンネルに変更されてから別のチャンネルへ変更されるまでの時間間隔であり、
前記変更頻度判定部は、前記時間間隔が所定の時間間隔よりも短いか否かを判定することにより、前記変更頻度が前記所定の頻度よりも高いか否かを判定し、
前記データ出力部は、前記変更頻度が高いと判定され場合、かつ、前記操作情報取得部で取得された前記操作情報によって示される前記選択チャンネルが前記特定のチャンネルである場合、前記推薦データ取得部によって取得された前記推薦データを出力する
請求項１または請求項２に記載の番組切替え制御装置。
【請求項９】
前記放送データ取得部は、前記放送番組が放送されている時間の情報を含む番組情報を取得し、
前記変更頻度判定部は、前記放送データ取得部で取得された前記番組情報を用いて、前記特定のチャンネルで１つの番組が放送されている間における前記変更頻度が前記所定の頻度よりも高いか否かを判定する
請求項６〜８のいずれか１項に記載の番組切替え制御装置。
【請求項１０】
前記データ出力部は、前記推薦データを出力する場合、前記推薦データおよび前記放送データを出力する
請求項１〜９のいずれか１項に記載の番組切替え制御装置。
【請求項１１】
前記データ出力部は、前記推薦データを出力する場合、前記推薦データおよび前記放送データのうち、前記推薦データのみを出力する
請求項１〜９のいずれか１項に記載の番組切替え制御装置。
【請求項１２】
前記推薦データ取得部は、前記コンテンツ自体を前記推薦データとして取得し、
前記データ出力部は、前記推薦データを出力する場合、前記推薦データ取得部で取得された前記コンテンツ自体を前記推薦データとして出力する
請求項１〜１１のいずれか１項に記載の番組切替え制御装置。
【請求項１３】
前記推薦データ取得部は、前記コンテンツを示すサムネイル画像を前記推薦データとして取得し、
前記データ出力部は、前記推薦データを出力する場合、前記推薦データ取得部で取得された前記サムネイル画像を前記推薦データとして出力する
請求項１〜１２のいずれか１項に記載の番組切替え制御装置。
【請求項１４】
前記推薦データ取得部は、前記コンテンツを示す文字情報を前記推薦データとして取得し、
前記データ出力部は、前記推薦データを出力する場合、前記推薦データ取得部で取得された前記文字情報を前記推薦データとして出力する
請求項１〜１３のいずれか１項に記載の番組切替え制御装置。
【請求項１５】
前記推薦データ取得部は、双方向通信ネットワークを介して、前記推薦データを取得する
請求項１〜１４のいずれか１項に記載の番組切替え制御装置。
【請求項１６】
前記推薦データ取得部は、前記コンテンツが記録されている記録装置から、前記コンテンツの情報を示す前記推薦データを取得する
請求項１〜１５のいずれか１項に記載の番組切替え制御装置。
【請求項１７】
前記番組切替え制御装置は、さらに、前記データ出力部で出力された前記推薦データによって示される情報を表示し、前記データ出力部で出力された前記放送データによって示される映像を表示する表示部を備える
請求項１〜１６のいずれか１項に記載の番組切替え制御装置。
【請求項１８】
視聴者によって選択された選択チャンネルにおいて放送されている放送番組の放送データを取得して、取得した前記放送データによって示される映像を表示するテレビであって、
前記選択チャンネルを示す情報を含む操作情報を取得する操作情報取得部と、
前記操作情報取得部で取得された前記操作情報によって示される前記選択チャンネルにおいて放送されている前記放送番組の前記放送データを取得する放送データ取得部と、
要求に応じてコンテンツを提供するコンテンツ提供元から、前記コンテンツの情報を示す推薦データを取得する推薦データ取得部と、
前記操作情報を用いて、前記選択チャンネルが変更された頻度である変更頻度が所定の頻度よりも高いか否かを判定する変更頻度判定部と、
前記変更頻度が高いと判定された場合、前記推薦データ取得部で取得された前記推薦データを出力し、前記変更頻度が高くないと判定された場合、前記放送データ取得部で取得された前記放送データを出力するデータ出力部と、
前記変更頻度が高いと判定された場合、前記データ出力部で出力された前記推薦データによって示される情報を表示し、前記変更頻度が高くないと判定された場合、前記データ出力部で出力された前記放送データによって示される映像を表示する表示部とを備える
テレビ。
【請求項１９】
視聴者によって選択された選択チャンネルにおいて放送されている放送番組の放送データを取得して、取得した前記放送データを出力する番組切替え制御方法であって、
前記選択チャンネルを示す情報を含む操作情報を取得する操作情報取得ステップと、
前記操作情報取得ステップで取得された前記操作情報によって示される前記選択チャンネルにおいて放送されている前記放送番組の前記放送データを取得する放送データ取得ステップと、
要求に応じてコンテンツを提供するコンテンツ提供元から、前記コンテンツの情報を示す推薦データを取得する推薦データ取得ステップと、
前記操作情報を用いて、前記選択チャンネルが変更された頻度である変更頻度が所定の頻度よりも高いか否かを判定する変更頻度判定ステップと、
前記変更頻度が高いと判定された場合、前記推薦データ取得ステップで取得された前記推薦データを出力し、前記変更頻度が高くないと判定された場合、前記放送データ取得ステップで取得された前記放送データを出力するデータ出力ステップとを含む
番組切替え制御方法。
【発明の詳細な説明】
【技術分野】
【０００１】
本発明は、視聴者によって選択された選択チャンネルにおいて放送されている放送番組の放送データを取得して、取得した放送データを出力する番組切替え制御装置に関する。
【背景技術】
【０００２】
近年、放送番組がデジタル化され、インターネット等のネットワークを介して番組視聴を可能とする映像受信端末が普及し始めている。また、番組が多チャンネル化してきている。
【０００３】
このような中で、数多くあるチャンネルの中から視聴者の嗜好情報にあった番組に行き着くまでに煩雑な作業を伴うという課題が存在する。そのような課題に対し、例えば、特許文献１においては、視聴者が興味を示さない番組をスキップする技術が開示されている。
【０００４】
特許文献１に記載された技術では、リモートコントローラに「興味なしボタン」が設けられている。そして、視聴者は、興味がない番組を見つけたら、「興味なしボタン」を押す。その後、視聴者が順次チャンネルを切替えた時、当該番組はスキップされる。これにより、多チャンネル化された状況であっても、視聴者は容易に所望の番組に辿り着くことができる。
【先行技術文献】
【特許文献】
【０００５】
【特許文献１】特開２００１−３０９２５３号公報
【発明の概要】
【発明が解決しようとする課題】
【０００６】
しかしながら、特許文献１に記載された技術では、視聴者は、「興味なしボタン」を押すという追加の操作を強いられる。例えば、視聴者は、順次チャンネルを切替えながら所望の番組を探している時に、選択されたチャンネルで放送されている番組に興味があるかないかを判断しなければならない。そして、視聴者は、選択されたチャンネルで放送されている番組に興味がないと判断した場合、「興味なしボタン」を押さなければならない。このような判断および操作は、ユーザにとって煩雑である。
【０００７】
また、「興味なしボタン」が押され、興味がないと設定された番組数分、視聴者の選択肢が減る。選択肢が減った結果、視聴者は所望の番組を探し出せない場合もある。
【０００８】
そこで、本発明は、視聴者に追加的な操作を強いることなく、視聴者が容易に所望の番組に辿り着けるように、データ出力を制御する番組切替え制御装置を提供することを目的とする。
【課題を解決するための手段】
【０００９】
上記課題を解決するため、本発明に係る番組切替え制御装置は、視聴者によって選択された選択チャンネルにおいて放送されている放送番組の放送データを取得して、取得した前記放送データを出力する番組切替え制御装置であって、前記選択チャンネルを示す情報を含む操作情報を取得する操作情報取得部と、前記操作情報取得部で取得された前記操作情報によって示される前記選択チャンネルにおいて放送されている前記放送番組の前記放送データを取得する放送データ取得部と、要求に応じてコンテンツを提供するコンテンツ提供元から、前記コンテンツの情報を示す推薦データを取得する推薦データ取得部と、前記操作情報を用いて、前記選択チャンネルが変更された頻度である変更頻度が所定の頻度よりも高いか否かを判定する変更頻度判定部と、前記変更頻度が高いと判定された場合、前記推薦データ取得部で取得された前記推薦データを出力し、前記変更頻度が高くないと判定された場合、前記放送データ取得部で取得された前記放送データを出力するデータ出力部とを備える。
【００１０】
これにより、頻繁にチャンネルが変えられた時に、推薦データが出力される。したがって、視聴者は、追加的な操作を強いられることなく、所望の番組に辿り着くことができる。
【００１１】
また、前記変更頻度は、単位時間あたりに前記選択チャンネルが変更された頻度であってもよい。
【００１２】
これにより、単位時間あたりにチャンネルが変えられる頻度に基づいて、視聴者が所望の番組を探すための操作をしている時に、推薦データが出力される。したがって、より効果的に推薦データが出力される。
【００１３】
また、前記変更頻度は、前記選択チャンネルが変更された回数であり、前記変更頻度判定部は、前記回数が所定の回数よりも多いか否かを判定することにより、前記変更頻度が前記所定の頻度よりも高いか否かを判定してもよい。
【００１４】
これにより、チャンネルが変えられる回数に基づいて、視聴者が所望の番組を探すための操作をしている時に、推薦データが出力される。したがって、より効果的に推薦データが出力される。
【００１５】
また、前記変更頻度は、所定の時間間隔よりも短い時間間隔で前記選択チャンネルが変更された回数であってもよい。
【００１６】
これにより、短時間でチャンネルが変えられる回数に基づいて、視聴者が所望の番組を探すための操作をしている時に、推薦データが出力される。したがって、より効果的に推薦データが出力される。
【００１７】
また、前記変更頻度は、前記選択チャンネルが変更された時間間隔であり、前記変更頻度判定部は、前記時間間隔が所定の時間間隔よりも短いか否かを判定することにより、前記変更頻度が前記所定の頻度よりも高いか否かを判定してもよい。
【００１８】
これにより、チャンネルが変えられる時間間隔に基づいて、視聴者が所望の番組を探すための操作をしている時に、推薦データが出力される。したがって、より効果的に推薦データが出力される。
【００１９】
また、前記変更頻度は、前記選択チャンネルが特定のチャンネルから別のチャンネルへ変更された頻度であり、前記データ出力部は、前記変更頻度が高いと判定され場合、かつ、前記操作情報取得部で取得された前記操作情報によって示される前記選択チャンネルが前記特定のチャンネルである場合、前記推薦データ取得部によって取得された前記推薦データを出力してもよい。
【００２０】
これにより、視聴者にとって興味がないと想定される番組を放送しているチャンネルが選択された時に推薦データが出力される。したがって、より効果的に推薦データが出力される。
【００２１】
また、前記変更頻度は、前記選択チャンネルが特定のチャンネルに変更されてから所定の時間間隔よりも短い時間間隔で別のチャンネルへ変更された回数であり、前記変更頻度判定部は、前記回数が所定の回数よりも多いか否かを判定することにより、前記変更頻度が前記所定の頻度よりも高いか否かを判定し、前記データ出力部は、前記変更頻度が高いと判定され場合、かつ、前記操作情報取得部で取得された前記操作情報によって示される前記選択チャンネルが前記特定のチャンネルである場合、前記推薦データ取得部によって取得された前記推薦データを出力してもよい。
【００２２】
これにより、視聴者にとって興味がないと想定される番組を放送しているチャンネルが、短時間でチャンネルが変えられる回数に基づいて、より正確に特定される。
【００２３】
また、前記変更頻度は、前記選択チャンネルが特定のチャンネルに変更されてから別のチャンネルへ変更されるまでの時間間隔であり、前記変更頻度判定部は、前記時間間隔が所定の時間間隔よりも短いか否かを判定することにより、前記変更頻度が前記所定の頻度よりも高いか否かを判定し、前記データ出力部は、前記変更頻度が高いと判定され場合、かつ、前記操作情報取得部で取得された前記操作情報によって示される前記選択チャンネルが前記特定のチャンネルである場合、前記推薦データ取得部によって取得された前記推薦データを出力してもよい。
【００２４】
これにより、視聴者にとって興味がないと想定される番組を放送しているチャンネルが、チャンネルが変えられる時間間隔に基づいて、より正確に特定される。
【００２５】
また、前記放送データ取得部は、前記放送番組が放送されている時間の情報を含む番組情報を取得し、前記変更頻度判定部は、前記放送データ取得部で取得された前記番組情報を用いて、前記特定のチャンネルで１つの番組が放送されている間における前記変更頻度が前記所定の頻度よりも高いか否かを判定してもよい。
【００２６】
これにより、番組毎にチャンネルが変えられる頻度に基づいて、より効果的に推薦データが出力される。
【００２７】
また、前記データ出力部は、前記推薦データを出力する場合、前記推薦データおよび前記放送データを出力してもよい。
【００２８】
これにより、本発明に係る番組切替え制御装置は、表示装置等に、放送番組と推薦情報の両方を表示させることができる。
【００２９】
また、前記データ出力部は、前記推薦データを出力する場合、前記推薦データおよび前記放送データのうち、前記推薦データのみを出力してもよい。
【００３０】
これにより、本発明に係る番組切替え制御装置は、表示装置等に、放送番組に代えて推薦情報を表示させることができる。
【００３１】
また、前記推薦データ取得部は、前記コンテンツ自体を前記推薦データとして取得し、前記データ出力部は、前記推薦データを出力する場合、前記推薦データ取得部で取得された前記コンテンツ自体を前記推薦データとして出力してもよい。
【００３２】
これにより、本発明に係る番組切替え制御装置は、表示装置等に推薦情報を直接的に表示させることができる。
【００３３】
また、前記推薦データ取得部は、前記コンテンツを示すサムネイル画像を前記推薦データとして取得し、前記データ出力部は、前記推薦データを出力する場合、前記推薦データ取得部で取得された前記サムネイル画像を前記推薦データとして出力してもよい。
【００３４】
これにより、本発明に係る番組切替え制御装置は、表示装置等に推薦情報をよりわかりやすく表示させることができる。
【００３５】
また、前記推薦データ取得部は、前記コンテンツを示す文字情報を前記推薦データとして取得し、前記データ出力部は、前記推薦データを出力する場合、前記推薦データ取得部で取得された前記文字情報を前記推薦データとして出力してもよい。
【００３６】
これにより、本発明に係る番組切替え制御装置は、表示装置等に推薦情報を簡潔に表示させることができる。
【００３７】
また、前記推薦データ取得部は、双方向通信ネットワークを介して、前記推薦データを取得してもよい。
【００３８】
これにより、推薦データが、双方向通信ネットワークを介して幅広く収集される。
また、前記推薦データ取得部は、前記コンテンツが記録されている記録装置から、前記コンテンツの情報を示す前記推薦データを取得してもよい。
【００３９】
これにより、推薦データが、双方向通信ネットワーク等を介することなく、記録装置から収集される。
【００４０】
また、前記番組切替え制御装置は、さらに、前記データ出力部で出力された前記推薦データによって示される情報を表示し、前記データ出力部で出力された前記放送データによって示される映像を表示する表示部を備えてもよい。
【００４１】
これにより、視聴者は、放送番組および推薦情報を確認できる。
また、本発明に係るテレビは、視聴者によって選択された選択チャンネルにおいて放送されている放送番組の放送データを取得して、取得した前記放送データによって示される映像を表示するテレビであって、前記選択チャンネルを示す情報を含む操作情報を取得する操作情報取得部と、前記操作情報取得部で取得された前記操作情報によって示される前記選択チャンネルにおいて放送されている前記放送番組の前記放送データを取得する放送データ取得部と、要求に応じてコンテンツを提供するコンテンツ提供元から、前記コンテンツの情報を示す推薦データを取得する推薦データ取得部と、前記操作情報を用いて、前記選択チャンネルが変更された頻度である変更頻度が所定の頻度よりも高いか否かを判定する変更頻度判定部と、前記変更頻度が高いと判定された場合、前記推薦データ取得部で取得された前記推薦データを出力し、前記変更頻度が高くないと判定された場合、前記放送データ取得部で取得された前記放送データを出力するデータ出力部と、前記変更頻度が高いと判定された場合、前記データ出力部で出力された前記推薦データによって示される情報を表示し、前記変更頻度が高くないと判定された場合、前記データ出力部で出力された前記放送データによって示される映像を表示する表示部とを備えるテレビであってもよい。
【００４２】
これにより、本発明に係る番組切替え制御装置がテレビとして実現される。
また、本発明に係る番組切替え制御方法は、視聴者によって選択された選択チャンネルにおいて放送されている放送番組の放送データを取得して、取得した前記放送データを出力する番組切替え制御方法であって、前記選択チャンネルを示す情報を含む操作情報を取得する操作情報取得ステップと、前記操作情報取得ステップで取得された前記操作情報によって示される前記選択チャンネルにおいて放送されている前記放送番組の前記放送データを取得する放送データ取得ステップと、要求に応じてコンテンツを提供するコンテンツ提供元から、前記コンテンツの情報を示す推薦データを取得する推薦データ取得ステップと、前記操作情報を用いて、前記選択チャンネルが変更された頻度である変更頻度が所定の頻度よりも高いか否かを判定する変更頻度判定ステップと、前記変更頻度が高いと判定された場合、前記推薦データ取得ステップで取得された前記推薦データを出力し、前記変更頻度が高くないと判定された場合、前記放送データ取得ステップで取得された前記放送データを出力するデータ出力ステップとを含む番組切替え制御方法であってもよい。
【００４３】
これにより、本発明に係る番組切替え制御装置が方法として実現される。
【発明の効果】
【００４４】
本発明に係る番組切替え制御装置により、視聴者は、追加的な操作を強いられることなく、容易に所望の番組を探し出せる。
【図面の簡単な説明】
【００４５】
【図１】図１は、本発明の実施の形態に係る番組切替え制御システムの一例を示す図である。
【図２】図２は、本発明の実施の形態に係る番組切替え制御装置の構成の一例を示す図である。
【図３】図３は、本発明の実施の形態に係る番組切替え制御装置におけるチャンネル選択時の動作の流れを示すフローチャートである。
【図４】図４は、本発明の実施の形態に係る番組切替え制御装置の特徴的な構成要素を示す図である。
【図５】図５は、本発明の実施の形態に係る番組切替え制御装置の特徴的な処理の流れを示すフローチャートである。
【図６Ａ】図６Ａは、本発明の実施の形態に係る第１の表示例を示す図である。
【図６Ｂ】図６Ｂは、本発明の実施の形態に係る第２の表示例を示す図である。
【図６Ｃ】図６Ｃは、本発明の実施の形態に係る第３の表示例を示す図である。
【図６Ｄ】図６Ｄは、本発明の実施の形態に係る第４の表示例を示す図である。
【発明を実施するための形態】
【００４６】
以下に、本発明を実施するための形態について、図面を参照しながら説明する。
図１は、本発明の実施の形態に係る番組切替え制御装置を用いた番組切替え制御システムの一例を示す図である。
【００４７】
図１に示された番組切替え制御システム１５０は、テレビ１６０とリモートコントローラ１０２と放送局１０３と映像配信サーバ１０４とを備える。テレビ１６０は、番組切替え制御装置１０１と表示部１０５とリモートコントローラＩＦ（インタフェース）１１２と放送受信ＩＦ１１３とパケット通信ＩＦ１１４とを備える。
【００４８】
リモートコントローラＩＦ１１２は、赤外線通信ＩＦ等で実現されるインタフェース部である。テレビ１６０は、リモートコントローラＩＦ１１２を用いてリモートコントローラ１０２から視聴者により選択されたチャンネル選択情報を受信する。
【００４９】
放送受信ＩＦ１１３は、放送局１０３から放送番組を受信するインタフェース部である。つまり、テレビ１６０は、放送受信ＩＦ１１３を用いて、放送局１０３から放送番組を受信する。また、テレビ１６０は、放送受信ＩＦ１１３を用いて、放送番組の番組情報を受信してもよい。
【００５０】
また、パケット通信ＩＦ１１４は、双方向通信ネットワークを利用して通信するためのインタフェース部である。例えば、パケット通信ＩＦ１１４は、インターネットを介して映像配信サーバ１０４と接続され、映像配信サーバ１０４から推薦番組を受信する。ここで、推薦番組は、映像配信サーバ１０４から配信される映像コンテンツである。
【００５１】
ここでは、放送受信ＩＦ１１３とパケット通信ＩＦ１１４とを別に設けているが、１つのインタフェース部であってもよい。例えば、パケット通信ＩＦ１１４が放送局１０３からの放送番組を受信し、放送番組の番組情報を受信してもよい。
【００５２】
また、番組切替え制御装置１０１は、視聴者の放送番組に対するチャンネル選択の操作情報を監視する。そして、番組切替え制御装置１０１は、所定のタイミングでインターネットを介して受信された推薦番組に出力を切替える。
【００５３】
表示部１０５は、放送受信ＩＦ１１３またはパケット通信ＩＦ１１４により受信された放送番組または推薦番組を表示する。
【００５４】
なお、各インタフェース部は、テレビ１６０の外部にあってもよいし、番組切替え制御装置１０１に組み込まれていてもよい。また、表示部１０５は、番組切替え制御装置１０１に組み込まれていてもよい。
【００５５】
図２は、図１に示された番組切替え制御装置１０１の構成を示すブロック図である。図２に示された番組切替え制御装置１０１は、操作情報取得部２０１、放送データ取得部２１４、変更頻度判定部２１３、推薦データ取得部２１７およびデータ出力部２０８を備える。そして、変更頻度判定部２１３は、推薦番組制御部２０２、遷移数計測部２０３および番組情報抽出部２０６を備える。また、放送データ取得部２１４は、放送受信部２０４および映像抽出部２０５を備える。また、推薦データ取得部２１７は、パケット通信部２０７を備える。
【００５６】
操作情報取得部２０１は、リモートコントローラＩＦ１１２を介して、リモートコントローラ１０２から受信した視聴者に選択されたチャンネル選択情報を取得する。そして、操作情報取得部２０１は、チャンネル選択情報を推薦番組制御部２０２と映像抽出部２０５に出力する。
【００５７】
推薦番組制御部２０２は、操作情報取得部２０１から入力されたチャンネル選択情報を監視する。そして、推薦番組制御部２０２は、チャンネル毎の他チャンネルへの遷移を示す情報を遷移通知として遷移数計測部２０３に通知する。例えば、チャンネル３からチャンネル４にチャンネルが遷移された場合、推薦番組制御部２０２は、チャンネル３の遷移通知を遷移数計測部２０３に通知する。
【００５８】
また、推薦番組制御部２０２は、遷移数計測部２０３から特定のチャンネルについて、視聴者の興味がないことを示す興味なしチャンネル通知が入力された場合、視聴者により当該特定のチャンネルが選択された際、パケット通信部２０７に映像配信サーバ１０４からの推薦番組を取得させる。そして、推薦番組制御部２０２は、取得された推薦番組をデータ出力部２０８に出力させる。
【００５９】
遷移数計測部２０３は、推薦番組制御部２０２から入力される各チャンネルの遷移通知の回数を遷移数としてチャンネル毎に測定する。一方で、番組情報抽出部２０６から特定のチャンネルについて番組情報更新通知が入力された場合、遷移数計測部２０３は、該当チャンネルの遷移数を０に戻す。例えば、チャンネル３の番組情報更新通知が入力された場合、遷移数計測部２０３は、チャンネル３の遷移数を０に戻す。
【００６０】
また、遷移数計測部２０３は、遷移数が３のチャンネルが存在した場合、該当するチャンネルを興味なしチャンネル通知として推薦番組制御部２０２に通知する。例えば、チャンネル３の遷移数が３に達していた場合、遷移数計測部２０３は、チャンネル３の興味なしチャンネル通知を推薦番組制御部２０２に通知する。
【００６１】
放送受信部２０４は、放送受信ＩＦ１１３を介して、放送局１０３から放送された電波を受信し、受信した電波を復調することにより復調データを取得する。そして、放送受信部２０４は、復調データを映像抽出部２０５および番組情報抽出部２０６に出力する。
【００６２】
映像抽出部２０５は、放送受信部２０４から入力された復調データの中から、操作情報取得部２０１から入力されたチャンネル選択情報に基づいて、映像データを抽出する。そして、映像抽出部２０５は、抽出した映像データをデータ出力部２０８に出力する。
【００６３】
番組情報抽出部２０６は、放送受信部２０４から入力された復調データから番組情報を抽出する。特定のチャンネルで放送されている番組の番組情報が更新された場合、番組情報抽出部２０６は、該当チャンネルについての番組情報更新通知を推薦番組制御部２０２に出力する。例えば、チャンネル３の番組情報が更新されていた場合、番組情報抽出部２０６は、チャンネル３の番組情報更新通知を推薦番組制御部２０２に出力する。
【００６４】
パケット通信部２０７は、パケット通信ＩＦ１１４およびインターネットを介して映像配信サーバ１０４に接続されている。そして、パケット通信部２０７は、推薦番組制御部２０２からの指示に従い、映像配信サーバ１０４から受信した推薦番組である映像データをデータ出力部２０８に出力する。
【００６５】
データ出力部２０８は、映像抽出部２０５およびパケット通信部２０７から入力された映像データのデコード処理および出力処理を行う。パケット通信部２０７から映像データが入力されていない場合、データ出力部２０８は、映像抽出部２０５から入力された映像データを出力する。パケット通信部２０７から映像データが入力された場合、データ出力部２０８は、映像抽出部２０５からの映像データを出力せずにパケット通信部２０７から入力された映像データを出力する。
【００６６】
次に、視聴者がチャンネル選択操作を行う際の、番組切替え制御装置１０１における推薦番組表示までの信号の流れについて説明する。
【００６７】
まず、視聴者はリモートコントローラ１０２を用いてチャンネル選択操作を行う。視聴者によって選択されたチャンネルを示すチャンネル選択情報は、操作情報取得部２０１に送信される。操作情報取得部２０１は、取得したチャンネル選択情報を推薦番組制御部２０２、映像抽出部２０５に出力する。
【００６８】
映像抽出部２０５は、入力されたチャンネル選択情報に基づき、放送受信部２０４から入力された復調データから該当する映像データを抽出する。そして、映像抽出部２０５は、抽出した映像データをデータ出力部２０８に出力する。データ出力部２０８は、入力された映像データのデコード処理および出力処理を行う。
【００６９】
推薦番組制御部２０２は、操作情報取得部２０１から入力されたチャンネル選択情報を監視する。そして、推薦番組制御部２０２は、チャンネル毎の他チャンネルへの遷移を示す情報を遷移通知として遷移数計測部２０３に出力する。
【００７０】
遷移数計測部２０３は、推薦番組制御部２０２から入力される遷移通知の回数を遷移数としてチャンネル毎に蓄積する。そして、遷移数計測部２０３は、遷移数が３のチャンネルが存在した場合、該当チャンネルの番組は視聴者の興味がないと判定し、興味なしチャンネル通知を推薦番組制御部２０２に出力する。
【００７１】
推薦番組制御部２０２は、遷移数計測部２０３から該当チャンネルについて興味なしチャンネル通知が入力された場合、かつ、該当チャンネルが選択された場合、パケット通信部２０７に映像配信サーバ１０４からの推薦番組を取得させる。パケット通信部２０７は、取得した推薦番組をデータ出力部２０８に出力する。
【００７２】
データ出力部２０８は、映像抽出部２０５とパケット通信部２０７の両方から映像データが入力された場合、映像配信サーバ１０４から取得した推薦番組を放送番組の代わりにデコードし、出力する。
【００７３】
次に、特定のチャンネルで、映像配信サーバ１０４から取得した推薦番組が表示されている状態において、当該特定のチャンネルで放送されている放送番組の番組情報が更新された場合の番組切替え制御装置１０１の動作について説明する。
【００７４】
番組情報抽出部２０６は、放送受信部２０４から入力された復調データから各チャンネルの番組情報を抽出する。番組情報が更新されていた場合、番組情報抽出部２０６は、該当チャンネルの番組情報更新通知を遷移数計測部２０３に出力する。遷移数計測部２０３は、該当チャンネルの番組情報更新通知が入力された場合、該当チャンネルの遷移数を０にクリアする。そして、遷移数計測部２０３は、興味なしチャンネル通知の出力を停止する。
【００７５】
推薦番組制御部２０２は、遷移数計測部２０３からの興味なし通知の出力停止を受けて、該当チャンネルの視聴を選択するチャンネル選択情報が操作情報取得部２０１から入力された時の制御を停止する。すなわち、推薦番組制御部２０２は、映像配信サーバ１０４からの推薦番組の取得制御およびデータ出力部２０８の出力制御を停止する。これにより、データ出力部２０８への推薦番組の入力が停止される。そして、視聴者により該当チャンネルが選択された時、更新された放送番組が表示される。
【００７６】
次に、番組切替え制御装置１０１の動作についてフローチャートを用いて説明する。
図３は、本発明の実施の形態に係る番組切替え制御装置１０１における、チャンネル選択時の処理の流れを示すフローチャートである。
【００７７】
まず、視聴者によるチャンネル選択がリモートコントローラ１０２を介して入力される。そして、操作情報取得部２０１は、リモートコントローラＩＦ１１２を介して、操作情報を取得する（Ｓ３０１）。
【００７８】
次に、変更頻度判定部２１３は、選択チャンネルが、番組情報が更新される前に他チャンネルに３回遷移されていたか否かを判定する（Ｓ３０２）。
【００７９】
ここで、選択チャンネルが、番組情報が更新される前に他チャンネルに３回遷移されていた場合（Ｓ３０２でＹｅｓ）、変更頻度判定部２１３は、視聴者が選択チャンネルで放送されている番組に興味がないと判断する。そして、推薦データ取得部２１７は、映像配信サーバ１０４から推薦番組を取得する。また、データ出力部２０８は、放送番組の代わりに推薦番組を出力する（Ｓ３０５）。
【００８０】
一方で、選択チャンネルが、番組情報が更新される前に他チャンネルに３回遷移されていない場合（Ｓ３０２でＮｏ）、変更頻度判定部２１３は、視聴者が選択チャンネルで放送されている番組に興味があると判断する。そして、データ出力部２０８は、選択チャンネルで放送されている番組を出力する（Ｓ３０７）。
【００８１】
以上のようにして、視聴者が番組をザッピングする過程で、３回他チャンネルに遷移された番組について、番組切替え制御装置１０１は、興味がないと判断する。そして、次に視聴者が該当チャンネルを選択した場合、番組切替え制御装置１０１は、該当チャンネルの放送番組の代わりに映像配信サーバ１０４から取得した推薦番組を出力する。
【００８２】
これにより、番組切替え制御装置１０１は、視聴者による追加的な操作なしで興味がない番組を判定し、前記興味がない番組に置き換わり新しい番組を提供することができる。そして、番組切替え制御装置１０１は、視聴者の選択肢を減らすことを回避できる。
【００８３】
また、番組切替え制御装置１０１は、放送番組の番組情報が更新された場合、更新前の興味がない番組の嗜好情報をリセットする。これにより、番組切替え制御装置１０１は、該当チャンネル選択時の画面表示を映像配信サーバ１０４から取得した推薦番組から放送番組に戻すことができる。そして、番組切替え制御装置１０１は、新たな放送番組の視聴機会の損失を回避できる。
【００８４】
なお、上記の例において、該当する番組に対し興味がないと判断する条件として、他チャンネルに遷移される回数を３回としたが、それに限るものではない。また回数ではなく、視聴時間であっても良い。
【００８５】
また、上記の例において、番組切替え制御装置１０１は、映像データを取得する手段として、放送受信部２０４とパケット通信部２０７を具備している。しかし、上述の通り、それに限るものではなく、番組切替え制御装置１０１は、例えばパケット通信部２０７のみを備えても良く、インターネットを介して映像配信サーバ１０４から放送番組を受信しても良い。
【００８６】
また、上記の例において、番組切替え制御装置１０１は、映像データを出力しているが、映像データに限らず、音声データを出力してもよい。番組切替え制御装置１０１は、例えば、インターネットラジオのような、チャンネルの切替えが発生する装置に適用できる。つまり、推薦番組は、映像コンテンツに限られず、音声コンテンツ等のコンテンツであってもよい。そして、放送データ取得部２１４が取得するデータは、映像データに限られず、音声データ等であってもよい。
【００８７】
また、上記の例において、放送番組の代わりに推薦番組自体が表示されているが、他の推薦情報が表示されてもよい。ここで、推薦情報とは、コンテンツである推薦番組を示す情報であって、コンテンツ自体、つまり、推薦番組自体でもよい。
【００８８】
また、放送番組とともに、推薦情報が表示されてもよい。これにより、視聴者は、放送番組を確認しながら、推薦情報を確認できる。
【００８９】
図４は、図１に示された番組切替え制御装置１０１の特徴的な構成要素を示す図である。
【００９０】
図４に示された番組切替え制御装置１０１は、操作情報取得部２０１、変更頻度判定部２１３、放送データ取得部２１４、推薦データ取得部２１７およびデータ出力部２０８を備える。
【００９１】
操作情報取得部２０１は、選択チャンネルを示す情報を含む操作情報を取得する。操作情報取得部２０１は、図１に示されたリモートコントローラＩＦ１１２を備えてもよい。
【００９２】
放送データ取得部２１４は、操作情報によって示される選択チャンネルで放送されている放送番組の放送データを取得する。ここで、放送とは、所定の時間に所定のコンテンツを送信することであり、有線通信、無線通信、または、ＩＰ（Ｉｎｔｅｒｎｅｔ  Ｐｒｏｔｏｃｏｌ）放送等でもよい。また、放送データとは、放送番組の映像データおよび音声データ等である。放送データ取得部２１４は、図１に示された放送受信ＩＦ１１３を備えてもよい。
【００９３】
推薦データ取得部２１７は、要求に応じてコンテンツを提供する映像配信サーバ１０４等のコンテンツ提供元から、コンテンツの情報を示す推薦データを取得する。推薦データは、コンテンツを示すサムネイル画像であってもよいし、コンテンツを示すメタデータ等の文字情報であってもよいし、コンテンツ自体であってもよい。また、推薦データは、それらの組み合わせであってもよい。
【００９４】
また、推薦データ取得部２１７は、コンテンツ提供元として、コンテンツが記録されている記録装置から、推薦データを取得してもよい。推薦データ取得部２１７は、コンテンツ提供元により提供されるコンテンツから、推薦データを形成することによって、推薦データを取得してもよい。
【００９５】
変更頻度判定部２１３は、操作情報を用いて、選択チャンネルが変更された頻度である変更頻度が所定の頻度よりも高いか否かを判定する。
【００９６】
変更頻度は、単位時間あたりに選択チャンネルが変更された頻度でもよい。また、変更頻度は、選択チャンネルが変更された回数でもよい。また、変更頻度は、短い時間に選択チャンネルが変更された回数でもよい。また、変更頻度は、選択チャンネルが変更された１回あたりの時間間隔でもよい。変更頻度判定部２１３は、変更された回数が多い場合、または、変更された時間間隔が短い場合、変更頻度が高いと判定する。
【００９７】
また、変更頻度判定部２１３は、特定のチャンネルについての変更頻度が所定の頻度よりも高いか否かを判定してもよい。
【００９８】
例えば、上記の例のように、選択チャンネルが特定のチャンネルから別のチャンネルへ変更された頻度でもよい。また、変更頻度は、選択チャンネルが特定のチャンネルに変更されてから短い時間に別のチャンネルへ変更された回数でもよい。また、変更頻度は、特定のチャンネルが選択されている時間、つまり、選択チャンネルが特定のチャンネルに変更されてから別のチャンネルへ変更されるまでの１回あたりの時間間隔であってもよい。
【００９９】
また、変更頻度判定部２１３は、操作情報を蓄積することにより、変更頻度が所定の頻度よりも高いか否かを判定してもよい。また、変更頻度判定部２１３は、上記の例のように、操作情報を用いて、選択チャンネルの変更をカウントすることにより、変更頻度が所定の頻度よりも高いか否かを判定してもよい。
【０１００】
データ出力部２０８は、変更頻度が高いと判定された場合、推薦データ取得部２１７で取得された推薦データを出力する。この場合、データ出力部２０８は、放送データの代わりに推薦データを出力する。または、データ出力部２０８は、放送データおよび推薦データの両方を出力してもよい。
【０１０１】
また、変更頻度が高くないと判定された場合、データ出力部２０８は、放送データ取得部２１４で取得された映像データを出力する。
【０１０２】
上記のような構成を備えることにより、番組切替え制御装置１０１は、放送データのみの出力と、推薦データを含む出力とを切替える。
【０１０３】
図５は、図４に示された番組切替え制御装置１０１の特徴的な処理の流れを示すフローチャートである。
【０１０４】
まず、操作情報取得部２０１は、視聴者によって選択された選択チャンネルを示す情報を含む操作情報を取得する（Ｓ５０１）。
【０１０５】
次に、放送データ取得部２１４は、操作情報によって示される選択チャンネルにおいて放送されている放送番組の放送データを取得する（Ｓ５０２）。
【０１０６】
次に、変更頻度判定部２１３は、操作情報を用いて、選択チャンネルが変更された頻度である変更頻度が所定の頻度よりも高いか否かを判定する（Ｓ５０３）。
【０１０７】
ここで、変更頻度が高いと判定された場合（Ｓ５０３でＹｅｓ）、推薦データ取得部２１７は、要求に応じてコンテンツを提供するコンテンツ提供元から、コンテンツの情報を示す推薦データを取得する（Ｓ５０４）。そして、データ出力部２０８は、推薦データ取得部２１７で取得された推薦データを出力する（Ｓ５０５）。この時、データ出力部２０８は、推薦データと、放送番組の放送データとの両方を出力してもよい。
【０１０８】
一方、変更頻度が高くないと判定された場合（Ｓ５０３でＮｏ）、放送データ取得部２１４で取得された放送データを出力する（Ｓ５０６）。
【０１０９】
以上のようにして、番組切替え制御装置１０１は、放送データのみの出力と、推薦データを含む出力とを切替える。なお、図５に示された処理の流れは、処理の流れの一例であって、番組切替え制御装置１０１によって実行される処理の流れは、図５に示された処理の流れに限定されない。例えば、番組切替え制御装置１０１は、図５に示された処理の順序と異なる順序で処理を実行してもよいし、処理を並行に実行してもよい。
【０１１０】
図６Ａは、図１に示された番組切替え制御装置１０１から出力されたデータによって表示部１０５に表示される第１の表示例を示す図である。図６Ａに示された表示部１０５は、表示領域６０１の放送番組表示領域６０２に、放送番組の映像を表示する。また、表示部１０５は、表示領域６０１の推薦情報表示領域６０３に、推薦データによって示される推薦情報を表示する。つまり、推薦情報および放送番組の映像が分割して表示されている。
【０１１１】
推薦情報表示領域６０３に表示される推薦情報は、文字情報、サムネイルおよびコンテンツ自体の組み合わせで表示されてもよい。推薦情報および放送番組が分割して表示されるため、視聴者は、放送番組の映像を確認しながら、推薦情報を確認できる。
【０１１２】
図６Ｂは、図１に示された番組切替え制御装置１０１から出力されたデータによって表示部１０５に表示される第２の表示例を示す図である。図６Ｂに示された表示部１０５は、表示領域６０１の放送番組表示領域６０２に、放送番組の映像を表示する。また、表示部１０５は、表示領域６０１の推薦情報表示領域６０３に、推薦データによって示される推薦情報を表示する。
【０１１３】
図６Ｂに示された例では、推薦情報は、サムネイルで表示される。そして、推薦情報であるサムネイルが、放送番組の映像に重畳して表示される。サムネイルの左右に表示されている三角矢印は、サムネイルの数が４つよりも多い場合、サムネイルの表示がリモートコントローラ１０２によって切替え可能であることを示す。これにより、放送番組の映像、および、推薦情報の両方が見やすくなる。
【０１１４】
また、サムネイルは、リモートコントローラ１０２から選択が可能であってもよい。そして、サムネイルが選択された時、選択されたサムネイルによって示される推薦番組が表示されてもよい。
【０１１５】
図６Ｃは、図１に示された番組切替え制御装置１０１から出力されたデータによって表示部１０５に表示される第３の表示例を示す図である。図６Ｃに示された表示部１０５は、表示領域６０１の放送番組表示領域６０２に、放送番組の映像を表示する。また、表示部１０５は、表示領域６０１の推薦情報表示領域６０３に、推薦データによって示される推薦情報を表示する。
【０１１６】
図６Ｃに示された例では、推薦情報は、文字情報として表示される。そして、推薦情報である文字情報が、放送番組の映像に重畳して表示される。これにより、放送番組の映像、および、推薦情報の両方が見やすくなる。また、文字情報として表示される推薦情報は、右から左へ移動しながら、表示される。これにより、より多くの推薦情報が表示される。
【０１１７】
図６Ｄは、図１に示された番組切替え制御装置１０１から出力されたデータによって表示部１０５に表示される第４の表示例を示す図である。図６Ｄに示された表示部１０５は、表示領域６０１の推薦情報表示領域６０３に、推薦データによって示される推薦情報を表示する。
【０１１８】
図６Ｄに示された例では、推薦情報のみが表示される。推薦情報表示領域６０３に表示される推薦情報は、典型的には、コンテンツ自体である。これにより、視聴者は、放送番組の代わりに推薦情報であるコンテンツを視聴できる。
【０１１９】
以上のように、実施の形態における番組切替え制御装置１０１は、視聴者に追加的な操作を強いることなく、視聴者が容易に所望の番組に辿り着けるように、データ出力を制御する。また、番組切替え制御装置１０１は放送データの代わりに推薦データを出力するため、選択肢が減ることもない。
【０１２０】
なお、本発明に係る番組切替え制御装置１０１について、実施の形態に基づいて説明したが、本発明はこれらの実施の形態に限定されるものではない。実施の形態に対して当業者が思いつく変形を施して得られる形態も本発明に含まれる。また、実施の形態における構成要素を任意に組み合わせて実現される別の形態も本発明に含まれる。
【０１２１】
また、本発明は、番組切替え制御装置１０１として実現できるだけでなく、番組切替え制御装置１０１を構成する処理手段をステップとする方法として実現できる。そして、本発明は、それらステップをコンピュータに実行させるプログラムとして実現できる。さらに、本発明は、そのプログラムを記憶したコンピュータ読み取り可能なＣＤ−ＲＯＭ等の記憶媒体として実現できる。
【０１２２】
また、番組切替え制御装置１０１は、ザッピング操作という視聴者の興味がない嗜好情報を抽出して、従来の放送番組に代わり、推薦番組の提供を行うことが可能である。したがって、テレビ１６０等の映像受信装置だけでなく、例えばインターネットラジオの選択推薦などのように、ザッピング操作が可能な装置やプログラムに活用することができる。
【産業上の利用可能性】
【０１２３】
本発明は、視聴者に追加的な操作を強いることなく、視聴者が容易に所望の番組に辿り着けるように、データ出力を制御する番組切替え制御装置として、テレビまたはインターネットラジオ等に利用することができる。
【符号の説明】
【０１２４】
１０１  番組切替え制御装置
１０２  リモートコントローラ
１０３  放送局
１０４  映像配信サーバ
１０５  表示部
１１２  リモートコントローラＩＦ
１１３  放送受信ＩＦ
１１４  パケット通信ＩＦ
１５０  番組切替え制御システム
１６０  テレビ
２０１  操作情報取得部
２０２  推薦番組制御部
２０３  遷移数計測部
２０４  放送受信部
２０５  映像抽出部
２０６  番組情報抽出部
２０７  パケット通信部
２０８  データ出力部
２１３  変更頻度判定部
２１４  放送データ取得部
２１７  推薦データ取得部
６０１  表示領域
６０２  放送番組表示領域
６０３  推薦情報表示領域
【図１】
2011259109.tif 000003
【図２】
2011259109.tif 000004
【図３】
2011259109.tif 000005
【図４】
2011259109.tif 000006
【図５】
2011259109.tif 000007
【図６Ａ】
2011259109.tif 000008
【図６Ｂ】
2011259109.tif 000009
【図６Ｃ】
2011259109.tif 000010
【図６Ｄ】
2011259109.tif 000011